(57)【要約】      （修正有）【課題】より速く正確に安全に築く事を可能にする低層住宅用の１側足場用孔あき丸鋼管支柱および引っ掛け金具付きクランプを提供する。【解決手段】孔あき支柱Ａの孔１にＬ字形に曲がった部材５を固着したクランプを取り付ける事により容易に高さ設定ができ、Ｌ字型に曲がった部材を孔に固着した事により手で支えなくても落ちないという仮止めの効果が期待できる。これにより、作業能率良く組み立てることができ、工期短縮が期待できる。【選択図】図４
0003101516.tif 000002
【実用新案登録請求の範囲】
【請求項１】
丸鋼管に装着用接続金具付きクランプ等を容易に正確に取り付ける事を可能にした事を特徴とする１側足場用孔あき丸鋼管支柱である。仮設足場を構築する際に用いる支柱Ａ丸鋼管材に引っ掛け金具付きクランプＢを容易に正確に取り付ける為の適数均等な孔開け加工を施した事を特徴とする足場縦地用支柱材である。
【請求項２】
仮設足場を構築する際に用いるクランプＢの上部に孔あき支柱の孔に引っ掛ける為の上方向にＬ字形に曲がった部材を固着した事を特徴としたクランプである。
【考案の詳細な説明】
【考案の詳細な説明】
【産業上の利用分野】
【０００１】  低層住宅用１側足場等をより速く正確で安全に築く為に用いる、改良された建設工事用足場支柱およびクランプに関する事。
【背景技術】
【０００２】  従来この種の足場用支柱および横つなぎ材においては様々なものが提供されており、例えば支柱においては無加工丸鋼管または様々なブラケットや横つなぎ材を取り付けるための受け金具を装着した丸鋼管支柱を使用していた。
【考案が解決しようとする課題】
【０００３】  従来の技術で述べたもののうち、前者においては高さ及び方向などを設定するのに非常に時間を要し、能率・正確・安全性に劣っている。また、後者においては能率・正確・安全性は良いが、機材を製造するにあたっては製造加工費がかさみ、運搬保管等には凹凸があるために場所をとるという欠点が生じる。また、組立時には叩き込み式が多いため、打音を発生し、近隣に迷惑をかけるおそれがある。
【課題を解決するための手段】
【０００４】  そこで本考案は従来のような難点等を解消し、容易に高さ設定ができ、方向性も出せ、作業能率においては工期の短縮・堅牢・耐久性・安全性に優れ、構成単純、量産に適し、比較的低コストに提供でき、取り扱いが容易で組み立て・解体作業が効率的に作業できる低層住宅用の１側足場用孔あき丸鋼管支柱および引っ掛け金具付きクランプを提供する。
【作用】
【０００５】  本考案の１側足場用孔あき丸鋼管支柱においては、丸鋼管に適数均等な孔を開け、引っ掛け金具付きクランプを装着することにより、取り付け部材の高さや方向の正確さ・工期短縮・安全性・耐久性に優れ、作業能率良く組み立てる事ができる。
【実施例】
【０００６】  以下、添付図面に従って一実施例を説明する。図１は、本考案の１側足場用孔あき丸鋼管支柱を例示する斜視図、図２は、本考案の１側足場用孔あき丸鋼管支柱に各部材連結締付けに用いる引っ掛け金具付きクランプを例示する斜視図、図３は、本考案の引っ掛け金具付きクランプと足場用ブラケットを組み合わせ一体化したものを例示する斜視図、図４は、本考案の引っ掛け金具付きクランプと足場用ブラケットを組み合わせ一体化したものを、本考案の孔あき支柱に取り付けた所を例示する斜視図、図５は本考案の１側足場用孔あき丸鋼管支柱に引っ掛け金具付きクランプが装着された状態を示す断面図である。
【考案の効果】
【０００７】  本考案の１側足場用孔あき丸鋼管支柱及び引っ掛け金具付きクランプによれば孔あき支柱の孔にＬ字形に曲がった部材を固着した事を特徴としたクランプを取り付ける事により従来の無加工丸鋼管より、又従来の足場用横つなぎ材より容易に高さ設定ができ、Ｌ字型に曲がった部材を固着した事により手で支えなくても落ちないという仮止めの効果が期待できる。これにより、作業能率良く組み立てることができ、工期短縮が期待できる。
【図面の簡単な説明】
【０００８】
【図１】  本考案の１側足場用孔あき丸鋼管支柱を例示する斜視図である。
【図２】  本考案の１側足場用孔あき丸鋼管支柱に各部材連結締付けに用いる引っ掛け金具付きクランプを例示する斜視図である。
【図３】  本考案の引っ掛け金具付きクランプと足場用ブラケットを組み合わせ一体化したものを例示する斜視図である。
【図４】  本考案の引っ掛け金具付きクランプと足場用ブラケットを組み合わせ一体化したものを本考案の１側足場用孔あき丸鋼管支柱に取り付けた所を例示する斜視図・１部断面図である。
【図５】  本考案の１側足場用孔あき丸鋼管支柱に引っ掛け金具付きクランプが装着された状態を示す断面図である。
【符号の説明】
【０００９】Ａ  １側足場用孔あき丸鋼管支柱
１  引っ掛け金具装着孔
Ｂ  引っ掛け金具付きクランプ
２  引っ掛け金具付きクランプ本体
３  支柱挟み込み部材
４  締付材
５  引っ掛け金具
Ｃ  引っ掛け金具付きクランプ一体化ブラケット
【図１】
0003101516.tif 000003
【図２】
0003101516.tif 000004
【図３】
0003101516.tif 000005
【図４】
0003101516.tif 000006
【図５】
0003101516.tif 000007
【手続補正書】
【提出日】平成15年11月10日(2003.11.10)
【手続補正１】
【補正対象書類名】実用新案登録請求の範囲
【補正対象項目名】全文
【補正方法】変更
【補正の内容】
【実用新案登録請求の範囲】
【請求項１】
支柱である丸鋼管に係合可能な引っ掛け金具付きクランプを取り付けるための孔を穿設した事を特徴とする足場部材に使用される丸鋼管支柱において、支柱の孔は所定位置に適数均等な数の孔を穿設した事を特徴とする１側足場用孔あき丸鋼管支柱。
【請求項２】
請求項１記載の１側足場用孔あき丸鋼管支柱の孔に、係合可能な引っ掛け金具をクランプに固着する事を特徴とする足場部材に使用されるクランプにおいて、
（１）上記クランプに固着した引っ掛け金具はＬ字形である
（２）引っ掛け金具をクランプの上部位置に設けた
（３）Ｌ字形の引っ掛け金具は取付端部よりももう１方の端部がその上方にある
以上の構成からなる引っ掛け金具付きクランプ。
【手続補正２】
【補正対象書類名】明細書
【補正対象項目名】０００４
【補正方法】変更
【補正の内容】
【０００４】  そこで本考案は従来のような難点等を解消し、容易に高さ設定ができ、方向性も出せ、作業能率においては工期の短縮・堅牢・耐久性・安全性に優れ、構成単純、量産に適し、比較的低コストに提供でき、取り扱いが容易で組み立て・解体工事が効率的に作業するために、請求項１記載の支柱である丸鋼管に係合可能な引っ掛け金具付きクランプを取り付けるための孔を穿設した事を特徴とする足場部材に使用される丸鋼管支柱においては、支柱の孔は所定位置に適数均等な数の孔を穿設した事を特徴とする１側足場用孔あき丸鋼管支柱ならびに請求項２記載の引っ掛け金具付きクランプは、請求項１記載の１側足場用孔あき丸鋼管支柱の孔に係合可能な引っ掛け金具をクランプに固着する事を特徴とする足場部材に使用されるクランプにおいて、
（１）上記クランプに固着した引っ掛け金具はＬ字形である
（２）引っ掛け金具をクランプの上部位置に設けた
（３）Ｌ字形の引っ掛け金具は取付端部よりももう１方の端部がその上方にある
以上の構成からなる引っ掛け金具付きクランプを提供する。